(57)【要約】【課題】  試験中の不正行為を規制可能に、携帯電話等の携帯端末を収納すること。【解決手段】  携帯電話Ｐを内部に収納可能な収納袋１１と、この収納袋１１を使用者Ｈに装着させる装着手段１３とを備えて不正防止用ホルダー１０が構成されている。収納袋１１には、携帯電話Ｐを出し入れする出し入れ口１８と、当該出し入れ口１８を閉塞する綴じ代部２０及び粘着テープ２２とが設けられ、これら綴じ代部２０及び粘着テープ２２は、収納袋１１に収納された携帯電話Ｐの出し入れを規制可能に閉塞するようになっている。【選択図】          図１
2006320439.tif 000002
【特許請求の範囲】
【請求項１】
携帯端末を内部に収納可能な収納袋と、この収納袋を使用者の所定部位に装着させる装着手段とを備えた不正防止用ホルダーであって、
前記収納袋には、前記携帯端末を出し入れする出し入れ口と、当該出し入れ口を閉塞する閉塞手段とが設けられ、
前記閉塞手段は、前記収納袋に収納された前記携帯端末の出し入れを規制可能に閉塞することを特徴とする不正防止用ホルダー。
【請求項２】
前記閉塞手段は、再使用を不可能に設けられていることを特徴とする請求項１記載の不正防止用ホルダー。
【請求項３】
前記収納袋は、その開放を容易にする開放促進部を備えていることを特徴とする請求項１又は２記載の不正防止用ホルダー。
【請求項４】
前記収納袋は、その内部に収納された前記携帯電話の一部若しくは全部を隠蔽可能に設けられていることを特徴とする請求項１、２又は３記載の不正防止用ホルダー。
【請求項５】
前記収納袋は、その内部に収納された前記携帯電話の外部との通信を規制若しくは遮断可能に設けられていることを特徴とする請求項１〜４の何れかに記載の不正防止用ホルダー。
【請求項６】
前記収納袋は、その内部に収納された前記携帯電話の外部からの操作を規制可能に設けられていることを特徴とする請求項１〜５の何れかに記載の不正防止用ホルダー。
【請求項７】
前記装着手段は、前記使用者に引っ掛け可能に前記収納袋に取り付けられた閉ループ状の紐体により構成され、
前記紐体は、前記収納袋が装着された状態で、前記出し入れ口がほぼ上向きとなる位置に取り付けられていることを特徴とする請求項１〜６の何れかに記載の不正防止用ホルダー。
【発明の詳細な説明】
【技術分野】
【０００１】
本発明は不正防止用ホルダーに係り、更に詳しくは、試験中における携帯電話等を使った不正行為の防止に寄与することのできる不正防止用ホルダーに関する。
【背景技術】
【０００２】
近時、携帯電話の普及により、所定の検定試験、入学試験、資格試験等の各種試験の際に、携帯電話の電子メール機能を利用した不正行為が問題視されている。このような不正行為は、主として試験監督員の目視によって発見されるが、携帯電話の小型化等や受験生の手口の巧妙化により、このような不正行為を確実に発見することが困難となっている。そこで、試験開始前に、主催者側で受験者の携帯電話を一時的に預かって所定の場所に一括保管し、試験終了後に、主催者側から各受験者に携帯電話を返却する仕組みが考えられる。ところが、この場合、携帯電話の受取手続や返却手続が煩雑になるばかりか、主催者側で携帯電話を保管することから、当該携帯電話の破損や紛失の虞があることから、このような携帯電話の一時的な預かりは難しいのが現状である。
【０００３】
そこで、試験開始前に、主催者側から各受験者に携帯電話の収納袋を配布し、当該収納袋に携帯電話を収納した状態で受験させることで、試験中における受験者の携帯電話の使用を阻止する仕組みも考えられる。この際、携帯電話を収納可能な袋として、特許文献１に開示された携帯電話収納袋の使用が可能である。この携帯電話収納袋は、その上部が、携帯電話の出し入れが可能な開放部分となっており、当該開放部分は、その周囲に巻かれた紐体を引っ張ることで、巾着状に窄められるようになっている。
【特許文献１】特開２００１−２７５７３０号公報
【発明の開示】
【発明が解決しようとする課題】
【０００４】
しかしながら、前記携帯電話収納袋にあっては、単に携帯電話の収納を目的としたものに過ぎず、受験中に、受験者が試験監督員の目を盗んで、収納袋から簡単に携帯電話を取り出すこと等も可能であり、前述した不正行為を効果的に規制可能な構造になっていないという不都合がある。
【０００５】
本発明は、このような不都合に着目して案出されたものであり、その目的は、試験中の不正行為を規制可能に、携帯電話等の携帯端末を収納することができる不正防止用ホルダーを提供することにある。
【課題を解決するための手段】
【０００６】
（１）前記目的を達成するため、本発明は、携帯端末を内部に収納可能な収納袋と、この収納袋を使用者の所定部位に装着させる装着手段とを備えた不正防止用ホルダーであって、
前記収納袋には、前記携帯端末を出し入れする出し入れ口と、当該出し入れ口を閉塞する閉塞手段とが設けられ、
前記閉塞手段は、前記収納袋に収納された前記携帯端末の出し入れを規制可能に閉塞する、という構成を採っている。
【０００７】
（２）ここで、前記閉塞手段は、再使用を不可能に設けられる、という構成を採ることが好ましい。
【０００８】
（３）また、前記収納袋は、その開放を容易にする開放促進部を備える、という構成も併せて採用することができる。
【０００９】
（４）更に、前記収納袋は、その内部に収納された前記携帯電話の一部若しくは全部を隠蔽可能に設けられる、という構成を採ることが好ましい。
【００１０】
（５）また、前記収納袋は、その内部に収納された前記携帯電話の外部との通信を規制若しくは遮断可能に設けられる、という構成を採ることが好ましい。
【００１１】
（６）更に、前記収納袋は、その内部に収納された前記携帯電話の外部からの操作を規制可能に設けられる、という構成を採ることが好ましい。
【００１２】
（７）また、前記装着手段は、前記使用者に引っ掛け可能に前記収納袋に取り付けられた閉ループ状の紐体により構成され、
前記紐体は、前記収納袋が装着された状態で、前記出し入れ口がほぼ上向きとなる位置に取り付けられる、という構成を採ることが好ましい。
【００１３】
なお、本明細書において、位置若しくは方向を示す用語である「上」、「下」、「左」、「右」は、特に明記しない限り、図２の向きの収納袋における「上」、「下」、「左」、「右」を意味する。
【発明の効果】
【００１４】
前記（１）の構成によれば、試験中の不正行為を規制可能に、携帯端末を収納することができる。すなわち、試験開始前に、主催者側から各受験者に不正防止用ホルダーを配布し、その収納袋に携帯端末を収納した状態で試験を受けさせることができる。この場合、当該収納状態の携帯端末の取り出しが閉塞手段によって規制されることになるため、試験中に、受験者により携帯端末を取り出そうとする行為があった場合、試験監督員に発見され易くなることが明らかであり、受験者による試験中の不正行為の抑止効果をもたらすことになる。
【００１５】
前記（２）のように構成することで、万が一、試験監督員の目を盗んで、受験者が閉塞している出し入れ口を一旦開放すると、携帯端末を元の状態に戻すことができなくなり、その状態が試験監督員に発見されると、前記不正行為が行われたと判断されることになり、当該不正行為の抑止効果を更に高めることができる。
【００１６】
前記（３）の構成によれば、受験者は、試験終了後に、収納袋から携帯端末を簡単に取り出すことが可能になる。
【００１７】
前記（４）の構成により、携帯端末が収納された収納袋の外部から、携帯端末の画面表示やボタン等を隠蔽することができるため、受験者は、携帯端末が収納された収納袋の外部から画面表示が見難くなり、また、ボタン操作が行い難くなり、前記不正行為を効果的に規制することができる。
【００１８】
前記（５）の構成により、収納袋に収納された状態の携帯端末には、外部から通信が行い難くなり、前記不正行為を効果的に規制することができる。
【００１９】
前記（６）の構成によっても、携帯端末の収納状態で、受験者が収納袋の外部からのボタン操作を行い難くなり、前記不正行為を効果的に規制することができる。
【００２０】
前記（７）の構成によれば、収納状態の携帯端末が、出し入れ口から不用意に脱落することを防止できる。
【発明を実施するための最良の形態】
【００２１】
以下、本発明の実施例について図面を参照しながら説明する。
【実施例】
【００２２】
図１には、本実施例に係る不正防止用ホルダーの使用状態を示す概略正面図が示されおり、図２には、前記不正防止用ホルダーの使用前の状態を示す概略正面図が示されている。これらの図において、不正防止用ホルダー１０は、携帯端末としての携帯電話Ｐを内部に収納可能なサイズに設けられた収納袋１１と、この収納袋１１を使用者Ｈに装着させる装着手段１３とを備えて構成されている。
【００２３】
前記収納袋１１は、図２に示されるように、それぞれ長方形状をなす大小二枚の第１及び第２シート材１５，１６の三辺の周縁側を相互に貼り合わせて形成されている。具体的に、これら第１及び第２シート材１５，１６は、左右幅が相互にほぼ同一に設けられる一方で、上下幅が相違するように設けられており、各シート材１５，１６の左右両端側及び下端側がほぼぴったりと貼り合わされ、これらシート材１５，１６の間に形成された内部空間に携帯電話Ｐが収納されることになる。このような構成により、各シート材１５，１６の上端側は、携帯電話Ｐを出し入れする出し入れ口１８が形成されることになり、小さい方の第２シート材１６の上端縁部１９から上方にはみ出した第１シート材１５の領域は、前記上端縁１９側の近傍で折り返されて第２シート材１６に重ね合わされる綴じ代部２０となる。
【００２４】
前記綴じ代部２０には、その内面側で左右方向に延びるように粘着テープ２２が設けられている。この粘着テープ２２の粘着面２３は、出し入れ口１８を閉塞するように綴じ代部２０が折り返されたときに（図２中矢印方向）、当該綴じ代部２０が第２シート材１６に貼り付け可能となっている。ここで、図２の使用前の状態においては、粘着面２３上に、粘着性能を維持する剥離シート２４が剥離自在に貼り付けられており、剥離シート２４を剥がして出し入れ口１８が閉塞される。また、粘着面２３上の粘着剤は、被着体となる第２シート材１６に一度貼り付いた後で剥がすと、再度の貼り付けが困難となる性質のものが使用されており、粘着テープ２２は、一旦使用すると、粘着力が大幅に低下するようになっている。ここで、綴じ代部２０及び粘着テープ２２は、収納袋１１に収納された携帯電話Ｐの出し入れを規制可能に閉塞する閉塞手段を構成する。
【００２５】
前記装着手段１３は、使用者Ｈの首に引っ掛け可能な閉ループ状の紐体２６により構成されている。この紐体２６は、図１に示されるように、携帯電話Ｐが収納された収納袋１１を首に引っ掛けたときに、出し入れ口１８が斜め上向きに配置されるように、収納袋１１の左端側となる上寄り位置に形成された貫通穴２７に挿通されている。この紐体２６の長さは、特に限定されるものではないが、使用者Ｈが収納袋１１を首に掛けたときに、使用者Ｈの胸元付近に収納袋１１が配置されるように設定されている。ここで、紐体２６の長さ調整が可能となる構造を採用してもよい。
【００２６】
次に、本実施例の不正防止用ホルダー１０の使用例につき、以下に説明する。
【００２７】
検定試験等の受験者が受験会場に到着した際、試験の主催者側で、受験者の携帯電話Ｐの存在を確認し、その場で、未使用の不正防止用ホルダー１０が受験者に手渡される。そして、当該受験者の携帯電話Ｐが収納袋１１に収納されると、粘着テープ２２の剥離シート２４が剥がされ、第１シート材１５の綴じ代部２０が第２シート材１６の上部に重ね合わされ、出し入れ口１８が閉塞される。そして、不正防止用ホルダー１０は、受験者の首に掛けられて、収納袋１１が受験者の胸元付近に位置することになり、その状態で、受験者は、受験し、或いは、面接試験等の待ち合わせ場所で待機することになる。ここで、受験者が自己の携帯電話Ｐを使った不正行為をするために、当該携帯電話Ｐを収納袋１１から取り出すには、粘着テープ２２を強制的に剥したり、収納袋１１の一部を破ったりしなければならず、このような行為は、試験監督者により発見され易くなる。また、試験中に受験者がトイレに行くような場合には、受験者が試験監督者の前で不正防止用ホルダー１０を一旦取り外させればよい。また、不正防止用ホルダー１０を一旦取り外させなくても、収納袋１１は、再使用が不可能な構成になっているため、受験者が試験監督者の目を盗んでトイレ内で収納袋１１を開放し、携帯電話Ｐを取り出しても、当該携帯電話Ｐを元通りに収納袋１１に収納できないため、その発見も容易となる。そして、試験終了後、受験者により、収納袋１１の出し入れ口１８が強制的に開放され、若しくは、収納袋１１の一部が破られる等により、携帯電話Ｐが収納袋１１から取り出される。
【００２８】
従って、このような実施例によれば、試験中における携帯電話Ｐを使った不正行為を規制可能に、受験者の携帯電話Ｐを収納できるという効果を得る。
【００２９】
なお、前記収納袋１１は、図３に示されるように、その内部に収納された携帯電話Ｐの一部若しくは全部を隠蔽可能に設けるとよい。例えば、収納袋１１の一部若しくは全部に対し、半透光性若しくは遮光性の材料で形成したり、当該材料のフィルム等のシート材を貼り付けてもよい。これにより、収納袋１１に携帯電話Ｐが収納されているときには、その画面の表示内容やボタン等の位置が分かりにくくなり、収納袋１１の外側から、携帯電話Ｐの画面での情報収集や携帯電話Ｐのボタン操作等が困難になる。更に、例えば、図３に示されるように、収納袋１１の下部領域のみから内部を透視可能となっていれば、受験者が携帯電話Ｐと偽って同様の物体を収納しても、外部から直ちに分かりつつ、前述した携帯電話Ｐの収納時におけるボタン操作等を行い難くすることができる。
【００３０】
また、前記収納袋１１に携帯電話Ｐが収納された状態で、外部からのボタン操作を規制するために、収納袋１１を所定の弾性素材で形成したり、当該弾性素材からなるカバーやシート材等を収納袋１１の内面側若しくは外面側に取り付けてもよい。
【００３１】
更に、収納袋１１に収納された携帯電話Ｐの電波通信が規制若しくは遮断される材料で収納袋１１を形成したり、このような材料からなるカバーやシート材等を収納袋１１の内面側若しくは外面側に取り付けてもよい。これにより、収納袋１１に収納された状態の携帯電話Ｐは、外部に対する情報の授受が行われ難くなり、前述した不正行為を一層効果的に防止することができる。
【００３２】
また、前記閉塞手段としては、前述した構成の他、収納袋１１に収納された携帯電話の出し入れを規制可能に出し入れ口１８を閉塞できる限りにおいて、種々の構造や材質のファスナーやテープ等を用いることも可能である。
【００３３】
更に、前記装着手段１３としては、前記実施例の紐体２６に限らず、使用者Ｈの身体の一部に収納袋１１を装着できる限りにおいて、クリップ、ピン等、種々の構成の部材を代替或いは併用可能である。
【００３４】
また、図４に示されるように、収納袋１１の上部に、出し入れ口１８が閉塞された状態の収納袋１１の開放を容易にするミシン目等の開放促進部２９を設けるとよく、これにより、試験終了後の携帯電話Ｐの取り出しをスムーズに行うことができる。この開放促進部２９は、収納袋１１の開放を容易にする構成であれば、切り欠き等、何でもよい。
【００３５】
以上の説明において、不正防止用ホルダー１０は、携帯電話Ｐの収納用としているが、本発明はこれに限らず、ＰＤＡ（Ｐｅｒｓｏｎａｌ  Ｄｉｇｉｔａｌ  Ａｓｓｉｓｔａｎｃｅ）等の他の携帯端末の収納に適用することも可能である。
【００３６】
その他、本発明における装置各部の構成は図示構成例に限定されるものではなく、実質的に同様の作用を奏する限りにおいて、形状、材質等種々の変更が可能である。
【図面の簡単な説明】
【００３７】
【図１】本実施例に係る不正防止用ホルダーの使用状態を示す概略正面図。
【図２】前記不正防止用ホルダーの使用前の状態を示す概略正面図。
【図３】変形例に係る不正防止用ホルダーの使用前の状態を示す概略正面図。
【図４】他の変形例に係る不正防止用ホルダーの使用前の状態を示す概略正面図。
【符号の説明】
【００３８】
１０  不正防止用ホルダー
１１  収納袋
１３  装着手段
１８  出し入れ口
２０  綴じ代部（閉塞手段）
２２  粘着テープ（閉塞手段）
２６  紐体
２９  開放促進部
Ｈ  使用者
Ｐ  携帯電話
【図１】
2006320439.tif 000003
【図２】
2006320439.tif 000004
【図３】
2006320439.tif 000005
【図４】
2006320439.tif 000006